(57)【要約】【課題】  可動表示部の表示面側がカメラ本体に対向して収納された状態で撮影を行う場合に適切な撮影モードを設定することができるカメラを提供する。【解決手段】  画像を表示する表示部３０を有し、前記表示部がカメラ本体に対向する位置と、それ以外の位置に配置可能に前記カメラ本体に取り付けられた可動表示部６と、前記表示部を前記カメラ本体に対向させた対向状態を検出する状態検出部２８と、周囲の環境を検出する環境検出部１６，２２と、前記状態検出部により前記対向状態が検出された場合に、前記環境検出部による検出結果に応じた撮影モードを設定する撮影モード設定部とを備える。【選択図】  図１
2013120998.tif 000002
【特許請求の範囲】
【請求項１】
画像を表示する表示部を有し、前記表示部がカメラ本体に対向する位置と、それ以外の位置に配置可能に前記カメラ本体に取り付けられた可動表示部と、
前記表示部を前記カメラ本体に対向させた対向状態を検出する状態検出部と、
周囲の環境を検出する環境検出部と、
前記状態検出部により前記対向状態が検出された場合に、前記環境検出部による検出結果に応じた撮影モードを設定する撮影モード設定部と
を備えることを特徴とするカメラ。
【請求項２】
前記状態検出部は、磁気センサを備えることを特徴とする請求項１記載のカメラ。
【請求項３】
前記環境検出部は、周囲の明るさを検出する照度センサを含むことを特徴とする請求項１または２記載のカメラ。
【請求項４】
合焦を行う際に補助光を発光するＡＦ補助光源を備え、
前記照度センサにより所定値以下の明るさが検出された場合に、前記撮影モード設定部は、前記ＡＦ補助光源による発光を禁止する前記撮影モードを設定することを特徴とする請求項１〜３の何れか一項に記載のカメラ。
【請求項５】
フラッシュ光を発光するフラッシュ光源を備え、
前記照度センサにより所定値以下の明るさが検出された場合に、前記撮影モード設定部は、前記フラッシュ光源による発光を禁止する前記撮影モードを設定することを特徴とする請求項４記載のカメラ。
【請求項６】
前記環境検出部は、周囲の音声を検出する集音部を含むことを特徴とする請求項１〜５の何れか一項に記載のカメラ。
【請求項７】
音声を出力する音声出力部を備え、
前記集音部により所定値以下の音量が検出された場合に、前記撮影モード設定部は、前記音声出力部による前記音声の出力を禁止する前記撮影モードを設定することを特徴とする請求項６記載のカメラ。
【請求項８】
撮影レンズと、
被写体光を撮像する撮像素子と、
前記撮影レンズと前記撮像素子との間に設けられ、前記被写体光の光路を前記撮像素子方向と前記撮像素子方向とは異なる方向とに切り替えるミラーと、
前記ミラーを駆動するミラー駆動部とを備え、
前記集音部により所定値以下の音量が検出された場合に、前記撮影モード設定部は、前記ミラー駆動部による前記ミラーの駆動音の発生を抑制する前記撮影モードを設定することを特徴とする請求項７記載のカメラ。
【請求項９】
前記状態検出部により前記対向状態を検出した場合には、前記表示部を消灯することを特徴とする請求項１〜８の何れか一項に記載のカメラ。
【発明の詳細な説明】
【技術分野】
【０００１】
本発明は、カメラに関するものである。
【背景技術】
【０００２】
可動式の表示部を有するカメラが知られている（例えば、特許文献１参照）。このカメラは、可動表示部の表示面側に設けられた照度センサの出力に基づいて可動表示部の表示面側がカメラ本体に対向して収納されたことを検出して、表示部を消灯している。
【先行技術文献】
【特許文献】
【０００３】
【特許文献１】特開２００９−１７１１６７号公報
【発明の概要】
【発明が解決しようとする課題】
【０００４】
しかし、このカメラにおいては、可動表示部の表示面側がカメラ本体に対向して収納された状態で撮影を行うことを考慮していなかった。
【０００５】
本発明の目的は、可動表示部の表示面側がカメラ本体に対向して収納された状態で撮影を行う場合に適切な撮影モードを設定することができるカメラを提供することである。
【課題を解決するための手段】
【０００６】
本発明に係るカメラは、画像を表示する表示部を有し、前記表示部がカメラ本体に対向する位置と、それ以外の位置に配置可能に前記カメラ本体に取り付けられた可動表示部と、前記表示部を前記カメラ本体に対向させた対向状態を検出する状態検出部と、周囲の環境を検出する環境検出部と、前記状態検出部により前記対向状態が検出された場合に、前記環境検出部による検出結果に応じた撮影モードを設定する撮影モード設定部とを備えることを特徴とする。
【発明の効果】
【０００７】
本発明に係るカメラによれば、可動表示部の表示面側がカメラ本体に対向して収納された状態で撮影を行う場合に適切な撮影モードを設定することができる。
【図面の簡単な説明】
【０００８】
【図１】本発明の実施の形態に係るカメラの可動表示部を開いた状態を示す斜視図である。
【図２】本発明の実施の形態に係るカメラの可動表示部のモニタをカメラ本体に対向状態で収納した状態を示す斜視図である。
【図３】本発明の実施の形態に係るカメラの可動表示部のモニタを外部から観察可能な状態で収納した状態を示す斜視図である。
【図４】本発明の実施の形態に係るカメラのシステム構成を示すブロック図である。
【図５】本発明の実施の形態に係るカメラの撮影モード設定処理を示すフローチャートである。
【発明を実施するための形態】
【０００９】
以下、本発明の実施の形態に係るカメラについて説明する。図１は、実施の形態に係るカメラの可動表示部を開いた状態を示す斜視図である。図１に示すように、カメラ２は、カメラ本体４及び可動表示部６を備えている。カメラ本体４の前面には、撮影レンズ８、ＡＦ補助光源５２（図４参照）、フラッシュ光源５４（図４参照）が設けられている。ここで、撮影レンズ８は、カメラ本体４の前面に固定されているものでもよいし、交換式のレンズであってもよい。
【００１０】
また、カメラ本体４の上部には、レリーズ動作を指示するレリーズボタン１２、撮影モードを設定する撮影モードダイヤル１４、カメラ２の周囲の環境音等の音声を集音するマイクロホン１６が設けられ、カメラ本体４の背面には、被写体を観察するファインダ１８、撮影モードを含む撮影条件の設定等を行うマルチセレクタ２０、カメラ本体４の周囲の照度を測定する照度センサ２２、操作音や警告音、オートフォーカス（ＡＦ）を行う際の合焦音等の音声を出力するスピーカ２４、可動表示部６を収納する収納スペース２６、収納スペース２６に可動表示部６が後述する対向状態で収納されたことを検出する磁気センサ２８が設けられている。
【００１１】
また、可動表示部６は、ＬＣＤまたは有機ＥＬ等により構成され撮像素子３８（図４参照）から出力された撮像信号に基づくライブビュー画像や撮影画像、撮影条件等を表示するモニタ３０、マグネット３２を備え、図１の矢印で示すように回転軸Ｘ及び回転軸Ｙを中心として回動可能にヒンジ部３４を介してカメラ本体４と接続されている。
【００１２】
ここで、図１に示す状態からＸ軸を中心として可動表示部６をカメラ本体４側に１８０°回転させると、図２に示すように可動表示部６は収納スペース２６に収納される。このとき、モニタ１８がカメラ本体４に対向した対向状態となる。また、図１に示す状態においてＹ軸を中心として可動表示部６を１８０°回転させた後に、可動表示部６をカメラ本体４側に１８０°回転させると、図３に示すように可動表示部は収納スペース２６に収納される。このとき、モニタ１８はカメラ本体４に対向せず、モニタ１８が外部から観察可能な状態となる。
【００１３】
なお、図２に示す状態においてはマグネット３２と磁気センサ２８との距離が接近または接触するため、磁気センサ２８によりマグネット３２を検出することができる。一方、図３に示す状態においてはマグネット３２と磁気センサ２８との距離が十分に離れているため、磁気センサ２８によりマグネット３２を検出することができない。従って、後述するＣＰＵ３６は、可動表示部６が対向状態（図２参照）であることを検出することができる。
【００１４】
図４は、実施の形態に係るカメラのシステム構成を示すブロック図である。カメラ２は、ＣＰＵ３６を備え、ＣＰＵ３６には、ＣＣＤ或いはＣＭＯＳ等により構成され、撮影レンズ８を介した被写体光を撮像して撮像信号を生成する撮像素子３８、撮影レンズ８や撮像素子３８、ミラー４０を駆動する撮影制御部４２、撮像素子３８から出力された撮像信号を図示しないＡ／Ｄ変換部においてＡ／Ｄ変換することにより生成された画像データを記憶する画像記憶部４４、撮像素子３８から出力される撮像信号に基づく画像データに、ホワイトバランス調整、輪郭補償、ガンマ補正等の画像処理を行う画像処理部４６、カードスロット４７に着脱可能に構成され撮影画像データや種々のデータを記録するメモリカード４８、モニタ３０及びモニタ３０を照射するバックライト４９の制御を行う表示制御部５０、合焦の際に被写体が低輝度である場合等に発光を行うＡＦ補助光源５２、フラッシュ光を射出するフラッシュ光源５４、レリーズボタン１２、撮影モードダイヤル１４、マルチセレクタ２０、マイクロホン１６、照度センサ２２、スピーカ２４、磁気センサ２８が接続されている。ここで、ミラー４０は、撮影レンズ８と撮像素子３８の間に回動可能に設けられ撮影レンズ８を介した被写体光の光路をファインダ１８方向と撮像素子３８方向とに切り替えることができる。即ち、レリーズボタン１２を用いたレリーズ指示が行われ撮影動作を行う際に、ＣＰＵ３６は撮影制御部４２を制御してミラー４０を駆動させ、撮影レンズ８を介した被写体光の光路をファインダ１８方向から撮像素子３８方向へ切り替える。
【００１５】
次に、図５に示すフローチャートを参照して実施の形態に係るカメラの撮影モード設定処理について説明する。図示しない電源ボタンを用いてカメラ２の電源がオンにされると、ＣＰＵ３６は、可動表示部６がカメラ本体４の収納スペース２６に対向状態で収納されているか否かを判断する（ステップＳ１）。ここで、ＣＰＵ３６は、磁気センサ２８により可動表示部６に設けられたマグネット３２が検出された場合に、可動表示部６が収納スペース２６に対向状態で収納されていると判断する。
【００１６】
可動表示部６が対向状態で収納されている場合には、ＣＰＵ３６は、表示制御部５０を制御してバックライト４９を消灯させる（ステップＳ２）。このとき、ＣＰＵ３６は表示制御部５０を制御してモニタ３０における画像等の表示を停止してもよい。一方、図１及び図３に示す状態等、可動表示部６が対向状態で収納されていない場合には、ＣＰＵ３６は、ステップＳ１に示す処理を繰り返す。
【００１７】
次に、ＣＰＵ３６は、照度センサ２２により測定されたカメラ本体４の周囲の環境光の照度を取得し（ステップＳ３）、所定値以下の照度が一定時間以上継続したか否かを判断する（ステップＳ４）。ここで、照度についての所定値は、プリセット値など予め設定された値を用いてもよいし、マルチセレクタ２０等を用いて撮影者により設定された値を用いてもよい。また、継続時間についての一定値も同様に、プリセット値など予め設定された値を用いてもよいし、マルチセレクタ２０等を用いて撮影者により設定された値を用いてもよい。
【００１８】
所定値以下の照度が一定時間以上継続した場合には、ＣＰＵ３６は、マイクロホン１６からの出力に基づいてカメラ本体４の周囲の環境音の音量を取得する（ステップＳ５）。即ち、ＣＰＵ３６は、マイクロホン１６により集音された環境音の音量を取得する。次に、ＣＰＵ３６は、所定値以下の音量が一定時間以上継続したか否かを判断する（ステップＳ６）。ここで、音量についての所定値は、プリセット値など予め設定された値を用いてもよいし、マルチセレクタ２０等を用いて撮影者により設定された値を用いてもよい。また、継続時間についての一定値も同様に、プリセットの値など予め設定された値を用いてもよいし、マルチセレクタ２０等を用いて撮影者により設定された値を用いてもよい。
【００１９】
所定値以下の音量が一定時間以上継続した場合には、ＣＰＵ３６は撮影モードを静音・発光禁止モードに設定する（ステップＳ７）。ここで、静音・発光禁止モードとして、ＣＰＵ３６は、スピーカ２４からの操作音や警告音、合焦音等の音声の出力を禁止し、ＡＦ補助光源５２によるＡＦ補助光の発光及びフラッシュ光源５４によるフラッシュ光の発光を禁止し、レリーズボタン１２を用いたレリーズ指示が行われた際のミラー４０の駆動音の発生を抑制する撮影モードを設定する。これにより、撮影者の周囲が暗く、かつ、静かである場合に、カメラ２から音や光を漏らさないようにするという周囲への配慮を行った撮影モードを設定することができる。
【００２０】
なお、カメラ本体４が、メモリカードスロット４７に装着されたメモリカード４６に対してＣＰＵ３６によるアクセスが行われていることを報知するカードアクセスランプを備える場合には、カードアクセスランプによる発光をさらに禁止してもよい。また、ＡＦ補助光源５２によるＡＦ補助光の発光を禁止するため、撮影時にＡＦによる合焦ができない場合にＣＰＵ３６は、ファインダ１８を介して合焦ができない旨を報知してもよい。
【００２１】
一方、ステップＳ６において、所定値以下の音量が一定時間以上継続しなかった場合は、ＣＰＵ３６は撮影モードを発光禁止モードに設定する（ステップＳ８）。ここで、発光禁止モードとして、ＣＰＵ３６は、ＡＦ補助光源５２によるＡＦ補助光の発光及びフラッシュ光源５４によるフラッシュ光の発光を禁止する撮影モードを設定する。これにより、撮影者の周囲が静かではないが、暗い場合に、カメラ２から光を漏らさないようにするという周囲への配慮を行った撮影モードを設定することができる。
【００２２】
なお、カメラ本体４が、上述のカードアクセスランプを備える場合には、カードアクセスランプによる発光をさらに禁止してもよい。また、ＡＦ補助光源５２によるＡＦ補助光の発光を禁止するため、撮影時にＡＦによる合焦ができない場合にＣＰＵ３６は、ファインダ１８を介して合焦ができない旨を報知してもよい。
【００２３】
ステップＳ４において所定値以下の照度が一定時間以上継続しなかった場合には、ＣＰＵ３６は、ステップＳ５に示す処理と同様に環境音の音量を取得し（ステップＳ９）、ステップＳ６に示す処理と同様に所定値以下の音量が一定時間以上継続したか否かを判断する（ステップＳ１０）。
【００２４】
所定値以下の音量が一定時間以上継続した場合には、ＣＰＵ３６は撮影モードを静音モードに設定する（ステップＳ１１）。ここで、静音モードとして、ＣＰＵ３６は、スピーカ２４からの操作音や警告音、合焦音等の音声の出力を禁止し、レリーズボタン１２を用いたレリーズ指示が行われた際のミラー４０の駆動音の発生を抑制する撮影モードを設定する。これにより、撮影者の周囲は明るいが、静かである場合に、カメラ２から音を漏らさないようにするという周囲への配慮を行った撮影モードを設定することができる。
【００２５】
一方、ステップＳ１０において、所定値以下の音量が一定時間以上継続しなかった場合は、ＣＰＵ３６は撮影モードをお好みモードに設定する（ステップＳ１２）。ここで、お好みモードとしては、所定値以下の照度が一定時間以上継続せず、かつ、所定値以下の音量が一定時間以上継続しなかった場合に用いられるプリセットの撮影モードとしてもよいし、マルチセレクタ２０等を用いて撮影者により設定された撮影モードとしてもよい。
【００２６】
ステップＳ７、Ｓ８、Ｓ１１及びＳ１２の何れかに示す処理により撮影モードを設定すると、ＣＰＵ３６は、ステップＳ１に戻り処理を行う。
【００２７】
なお、ステップＳ７、Ｓ８、Ｓ１１及びＳ１２の何れかに示す処理により撮影モードを設定した後にステップＳ１に示す処理に戻らずに、ＣＰＵ３６は、可動表示部６がカメラ本体４の収納スペース２６に対向状態で収納されているか否かを判断し、可動表示部６が収納スペース２６に対向状態で収納されている場合にＣＰＵ３６はステップＳ４に示す処理に戻る構成としてもよい。このとき、ＣＰＵ３６は、磁気センサ２８により可動表示部６に設けられたマグネット３２が検出された場合に、可動表示部６が収納スペース２６に対向状態で収納されていると判断する。この場合には、移動しながら撮影する場合等、環境に大きな変化が発生する状況であっても、変化した環境に応じて適切な撮影モードを設定することができる。
【００２８】
本実施の形態に係るカメラによれば、可動表示部の表示面側がカメラ本体に対向して収納された状態で撮影を行う場合に適切な撮影モードを設定することができる。即ち、可動表示部が対向状態でカメラ本体に収納された場合に、周囲が暗い場合には発光を禁止することにより光漏れを防止し、周囲が静かな場合には音声の出力を禁止すると共に、駆動音の発生を抑制することにより音漏れを防止する等、環境に応じた撮影モードを設定することができる。従って、ピアノの発表会などの周囲が暗く、かつ、静かな状況においてもカメラからの光漏れ及び音漏れを防止した撮影モードを設定することができる。
【００２９】
なお、上述の実施の形態においては、デジタル一眼レフカメラを例に説明したが、ビデオカメラやコンパクトタイプのデジタルカメラであってもよいし、カメラ付の携帯電話機等の携帯型電子機器であってもよい。
【００３０】
また、上述の実施の形態においては、可動表示部６が対向状態でカメラ本体４の収納スペース２６に収納されたことを磁気センサを用いて検出する構成としたが、図１に示すＸ軸及びＹ軸を中心とした可動表示部６の回転角度を検出する角度センサを用いて対向状態を検出するなど、可動表示部６が対向状態で収納スペース２６に収納されたことを検出可能な構成であれば、どのような検出方法を用いてもよい。
【００３１】
また、上述の実施の形態においては、マイクロホン１６により集音された環境音に基づいて音量を取得する構成としたが、音量センサを用いて音量を測定する構成としてもよい。
【符号の説明】
【００３２】
２…カメラ、４…カメラ本体、６…可動表示部、１６…マイクロホン、２２…照度センサ、２６…収納スペース、２８…磁気センサ、３０…モニタ、３２…マグネット、３６…ＣＰＵ
【図１】
2013120998.tif 000003
【図２】
2013120998.tif 000004
【図３】
2013120998.tif 000005
【図４】
2013120998.tif 000006
【図５】
2013120998.tif 000007